(57)【要約】  本発明は、搬送方向（５４，５５）に沿ってロータ（４８）により媒体を第１の接続部（３２）から第２の接続部（３７）へ、またはその逆へポンプ搬送するために圧縮することができるポンプホース（４６）を有するロータホースポンプ（２０）に関する。該ロータホースポンプ（２０）は、前記ポンプホース（４６）を前記第１の接続部（３２）側の第１の部分（６２）で保持する第１の保持装置（６１）を含んでいる。前記ロータホースポンプ（２０）内には、前記ポンプホースを前記第２の接続部（３７）側の第２の部分（７０）で受容する第２の保持装置（６６）が設けられている。本発明によれば、前記ロータホースポンプ（２０）は、前記第１の保持装置（６１）をその中に保持されている前記ポンプホース（４６）の前記第１の部分（６２）とともに前記第２の保持装置（６６）に対して変位させるように前記第１の保持装置（６１）を受容する位置調整装置（７６）を有している。
2015514902.tif 000002
【特許請求の範囲】
【請求項１】
搬送方向（５４，５５）に沿ってロータ（４８）により媒体を第１の接続部（３２）から第２の接続部（３７）へ、またはその逆へポンプ搬送するために圧縮することができるポンプホース（４６）と、該ポンプホース（４６）を前記第１の接続部（３２）側の第１の部分（６２）で保持する第１の保持装置（６１）と、前記ポンプホースを前記第２の接続部（３７）側の第２の部分（７０）で受容する第２の保持装置（６６）とを備えたロータホースポンプ（２０）において、
前記第１の保持装置（６１）をその中に保持されている前記ポンプホース（４６）の前記第１の部分（６２）とともに前記第２の保持装置（６６）に対して変位させるように前記第１の保持装置（６１）を受容する位置調整装置（７６）が設けられていることを特徴とするロータホースポンプ。
【請求項２】
前記位置調整装置（７６）がロック機構（９４）を含み、該ロック機構は、前記第１の接続部（３２）へ向けられる第１の方向（１０３）で前記第１の保持装置（６１）の運動を解放し、前記第１の方向（１０３）とは逆の第２の方向（９９）で運動を阻止することを特徴とする、請求項１に記載のロータホースポンプ。
【請求項３】
前記ロック機構（９４）が爪止め（１０４）を備えたラック（９６）を含み、前記爪止めが複数の歯（９８）を備え、これらの歯が、前記第１の方向（１０３）に向いている急傾斜の側面（１００）と、前記第２の方向（９９）に向いている緩やかな傾斜の側面（１０２）とを有するとともに、回動軸受（１０６）で受容される回動運動可能なロック爪（１１０）と協働し、該ロック爪は、前記第１の保持装置（６１）が前記位置調整装置（７６）内で前記ラック（９６）に対し相対的に変位するときに移動し、その際に前記爪止め（１０４）を、前記第１の保持装置（６１）が前記第１の方向（１０３）に移動するときに解放し、前記第１の保持装置（６１）が前記第２の方向（９９）に移動するときに前記爪止め（１０４）とロックすることを特徴とする、請求項２に記載のロータホースポンプ。
【請求項４】
前記ロック爪（１１０）を弾性力で付勢して該ロック爪（１１０）を前記ラック（９６）に対し押圧させる弾性手段（１０１）が設けられていることを特徴とする、請求項３に記載のロータホースポンプ。
【請求項５】
前記保持装置（６１）が、前記ポンプホース（４６）と結合される管（３４）を有していることを特徴とする、請求項１から４までのいずれか一つに記載のロータホースポンプ。
【請求項６】
直線変位することができ、前記管（３４）を介して前記保持装置（６１）に接続されている材料装入容器（３６）が前記位置調整装置（７６）に組み込まれていることを特徴とする、請求項５に記載のロータホースポンプ。
【請求項７】
請求項１から６までのいずれか一つに従って構成されたロータホースポンプ（２０）を備えた、濃厚物質用、特にコンクリート用走行型ミキサーポンプ。
【発明の詳細な説明】
【技術分野】
【０００１】
本発明は、搬送方向に沿ってロータにより媒体を第１の接続部から第２の接続部へ、またはその逆へポンプ搬送するために圧縮することができるポンプホースと、該ポンプホースを前記第１の接続部側の第１の部分で保持する第１の保持装置と、前記ポンプホースを前記第２の接続部側の第２の部分で受容する第２の保持装置とを備えたロータホースポンプに関するものである。
【背景技術】
【０００２】
この種のロータホースポンプは特許文献１から知られている。この文献には、濃厚物質（たとえばコンクリート、石灰または泥）のためのロータホースポンプを含んでいるミキサー車が記載されている。このロータホースポンプはポンプホースを備えた平筒状のポンプハウジングを有し、ポンプホースは、吸込み入口の形態の第１の接続部を介して、装入容器に接続されている。ポンプホースは第２の接続部を有し、該第２の接続部は圧力排出部として作用し、搬送管と結合されている。このロータホースポンプは、対角線方向に対向している２つのゴムローラを用いてポンプホースをポンプハウジングの側面に対し内側から押圧させるロータを含んでいる。
【０００３】
ロータホースポンプの作動時にポンプホースに作用する力は、ポンプホースを搬送方向に延伸させる。ポンプホースは押しつぶされおよび／または圧縮されるので、この延伸が大きすぎると、ロータがポンプホースを損傷させる危険がある。これはポンプのパワーを低下させるので望ましいものではなく、またポンプホースの耐用期間を短くさせる。それ故、ロータホースポンプ内のポンプホースの耐用期間を不必要に短くさせるのを阻止するため、ポンプホースを規則的に後調整することが必要である。従来のロータホースポンプの場合、この後調整を手動で行わねばならないので、このようなロータホースポンプの作動には高い保守コストを要する。
【先行技術文献】
【特許文献】
【０００４】
【特許文献１】独国特許出願公開第４２０４３３０Ａ１号明細書
【発明の概要】
【発明が解決しようとする課題】
【０００５】
本発明の課題は、保守コストが低くても実質的に一定のポンプパワーで作動させることができるホースポンプを提供することである。
【課題を解決するための手段】
【０００６】
この課題は、冒頭で述べた種類のロータホースポンプにおいて、第１の保持装置をその中に保持されているポンプホースの第１の部分とともに第２の保持装置に対して変位させるように第１の保持装置を受容する位置調整装置が設けられていることによって解決される。
【０００７】
このようにして、逆作動で搬送方向を逆にしてロータを移動させることにより、ポンプホースの長さを簡単に後調整できるようなロータホースポンプが提供される。
【０００８】
位置調整装置がロック機構を含み、該ロック機構は、第１の接続部へ向けられる第１の方向で第１の保持装置の運動を解放し、第１の方向とは逆の第２の方向で運動を阻止するのが有利である。
【０００９】
ロック機構は爪止めを備えたラックを含んでいてよく、爪止めは複数の歯を備え、これらの歯が、第１の方向に向いている急傾斜の側面と、第２の方向に向いている緩やかな傾斜の側面とを有するとともに、回動軸受で受容される回動運動可能なロック爪と協働し、該ロック爪は、第１の保持装置が位置調整装置内でラックに対し相対的に変位するときに移動することができ、その結果爪止めを、第１の保持装置が第１の方向に移動するときに解放し、第１の保持装置が第２の方向に移動するときに爪止めをロックする。
【００１０】
ロック爪を弾性手段の弾性力で付勢して該ロック爪をラックに対し押圧させることにより、建設現場の凹凸のある地面を車両が走行することでホースポンプが移動したときに、ロック機構がひとりでに解除するのを阻止することができる。
【００１１】
本発明によるロータホースポンプは、たとえば走行型ミキサーに組み込むことができる。
【図面の簡単な説明】
【００１２】
次に、本発明を、図面に図示した実施形態を用いて詳細に説明する。
【図１】ロータホースポンプを備えた走行型ミキサーを示す図である。
【図２】ポンプホースを備えた走行型ミキサーのロータホースポンプの斜視図である。
【図３】ポンプホースを備えたロータホースポンプの断面図である。
【図４】ポンプホース用の位置調整装置を備えた図３のロータホースポンプの部分断面図である。
【図５】位置調整装置のロック機構を示す図である。
【図６】１つの位置調整位置でのポンプホース用位置調整装置を示す図である。
【図７】他の位置調整位置でのポンプホース用位置調整装置を示す図である。
【発明を実施するための形態】
【００１３】
図１に示したコンクリートミキサー車は、混合胴１６を備えた長尺の車台１０を有している。混合胴１６は車台１０の中央領域に配置され、軸線１２のまわりに回転させることができる。混合胴１６は、車台１０上で斜め後方上向きに指向する供給・排出穴１４を有している。後端付近には、後車軸１８，１８’の後方にロータホースポンプ２０が車台１０に配置されている。ロータホースポンプ２０はポンプハウジング４２を有し、該ポンプハウジングは、材料装入容器３６と結合されているポンプホースを備えている。ミキサー車は、搬送管３１を備えた分配ブーム３０を含んでいる。分配ブーム３０は、前車軸２２，２２’の領域において運転室２４の付近に位置するように、鉛直軸線２７のまわりに回転可能に支持台２６で支持されている。分配ブーム３０は、互いに逆方向に回動可能な複数の片持ちアーム２８，２８’，２８”から構成されている。ロータホースポンプ２０のポンプホースは、分配ブーム３０内で搬送管に接続されている。
【００１４】
図２および図３からわかるように、ロータホースポンプ２０は、材料装入容器３６と結合されている管片３４への第１の接続部３２を有している。ロータホースポンプ２０は管片３８への第２の接続部３７を有し、管片３８は、圧力搬送管の接続のために用いる連結部分４０を備えている。ロータ４８が矢印５５の方向に回転するときに回転してポンプホースを圧縮させるゴムローラ５０，５２ににより、コンクリートは材料装入容器３６から接続部３２を介して吸込まれて、ポンプホース４６を通って接続部３７のほうへ搬送され、ブームに設けた圧力搬送管３１内へ圧入される。たとえばクリーニングのためのポンプ逆作動の場合には、ロータ４８は矢印５４の方向に操作される。コンクリートは材料装入容器３６の方向に戻される。
【００１５】
ポンプハウジング４２内には第１のホースガイド５８が形成され、該ホースガイドによりポンプホース４６が管片３４のほうへ案内されている。管片３４には、ポンプホース４６がクランプ機構６０を用いて固定されている。クランプ機構６０を備えた管片３４は、ポンプホース４６のための第１の保持装置６１である。保持装置６１によりポンプホース４６は第１の部分６２で保持される。ポンプハウジング４２は第２のホースガイド６４を有し、該第２のホースガイドによりポンプホース４６は管片３８のほうへ案内されている。管片３８には、ポンプホース４６がクランプ機構６８を用いて固定されている。ポンプホース４６のために、管片３８とクランプ機構６８とは第２の保持装置６６を形成している。ロータホースポンプ２０はフレームシステムとして構成されたベース７２を有し、該ベース７２はポンプハウジング４２を含んでいる担持構造部７４を備えている。ポンプホース４６のための第１の保持装置６１は、二重矢印７５に対応してベース７２に対し相対的に変位することができる。第２の保持装置６６によりポンプホース４６は部分７０内でベース７２の担持構造部７４に固定されている。第１の保持装置６１は管片３４により材料装入容器３６に固定されている。第１の保持装置６１は、材料装入容器３６を介して、位置調整装置７６を備えたベース７２で受容されている。位置調整装置７６を介して第１の保持装置６１は材料装入容器３６とともに方向７５に直線運動自由度で変位することができる。位置調整装置７６はロック機構９４を含んでいる。
【００１６】
図４はロータホースポンプ２０の部分断面図である。ロック機構９４はラック９６を含んでいる。ラック９６はねじ１１５によりロータホースポンプ２０のベース７２に固定されている。ロック機構９４は、ポンプハウジング４２へ向けられる方向９９での第１の保持装置６１の運動を阻止する。これに対し、接続部３２のほうへ向けられる逆方向１０３での保持装置６１の運動は、ロック機構９４により解放される。ベース７２には長穴９３が設けられ、この長穴内で材料装入容器３８が直線滑動するようにボルト９５により案内される。
【００１７】
ロック機構９４は図５に示されている。ロック機構９４のラック９６は複数の歯９８を有し、これらの歯は急傾斜の側面１００と傾斜のゆるやかな側面１０２とを交互に有している爪止め１０４を形成している。ロック機構は、軸１０８に設けた回動軸受１０６で受容されている、ロック部分１１２を備えた爪１１０を有し、ロック部分１１２がラック９６の歯９８と協働する。ロック機構９４内には、皿ばね１０１として構成された弾性装置が設けられ、該弾性装置は保持システム１１４に固定され、ラック９６のロック部分１１２を爪止め１０４へ押し込む弾性モーメントで爪１１０を付勢する。
【００１８】
図４は、ロータホースポンプ２０の位置調整装置７６を、爪１１０のロック部分１１２がラック９６の爪止め１０４と噛み合っているロック機構９４の位置で示している。図４が示すように、ロック機構９４により、ポンプホース４６のための第１の保持装置６１を方向９９において引張り力で付勢することができ、その際に保持装置６１がその中で保持されているポンプホース４６の一部分６２とともに変位することはない。このような引張り力は、ロータ４８が、第１の接続部３２から第２の接続部３７への媒体の搬送に対応する搬送方向において、ゴムローラ５０，５２によってポンプホース４６を圧縮するときに、第１の保持装置６１に作用する。
【００１９】
これに対し、方向９９とは逆の方向１０３において保持装置６１に送り力が作用し、位置調整装置７６のリニアガイドでの保持装置に対する摩擦力が増大すると、爪１１０は矢印１２０に対応して軸１０８のまわりに回動し、その結果ラック９６が解放される。図６は、ロータホースポンプ２０の位置調整装置７６を、ラック９６の爪止め１０４と爪１１０のロック部分１１２との係合が解除されているロック機構９４の位置で示している。このとき保持装置６１はこの送り力によって管片３４とともにベース７２に対し変位する。このような送り力は、ロータホースポンプ２０のロータ４８がポンプホース４６を矢印５４の方向に圧縮するときに第１の保持装置６１に作用する。
【００２０】
図７では、ロータホースポンプ２０の位置調整装置７６がロック機構９４の他の位置で示されており、すなわちラック９６の爪止め１０４と爪１１０のロック部分１１２とが噛み合っている位置で示されている。
【００２１】
本発明によるロータホースポンプ２０は次のように構成されており、すなわちロータ４８が作動して、第２の接続部３７から第１の接続部３２への媒体の搬送に対応する搬送方向においてポンプホース４６が圧縮されるときに、第１の接続部分３２を備えた第１の保持装置６１へ伝達され、方向１０３において第１の接続部３２のほうへ向いている送り力が、位置調整装置７６内での保持装置６１の直線運動へ変換されるように構成されている。このようにしてポンプホース４６の自動後調整を生じさせることができる。
【００２２】
なお、本発明によるロータホースポンプでは、位置調整装置９６の代わりに、または、これに加えて、第２の保持装置６６のための位置調整装置を設けてよい。この位置調整装置により、第２の保持装置６６を第１の保持装置６１に対し変位させることが可能である。この位置調整装置も、第２の接続部３７に向く方向での第２の保持装置６６の運動を解放し、これと逆の方向で阻止するロック機構を含んでいる。
【００２３】
総括すると、以下の有利な構成が固持される。ロータホースポンプ２０は、搬送方向に沿ってロータ４８により媒体を第１の接続部３２から第２の接続部３７へ、またはその逆へポンプ搬送するために圧縮することができるポンプホース４６を。ロータホースポンプ２０は、ポンプホース４６を第１の接続部３２側の第１の部分６２で保持する第１の保持装置６１を含んでいる。ロータホースポンプ２０内には、ポンプホース４６を第２の接続部３７側の第２の部分７０で受容する第２の保持装置６６が設けられている。ロータホースポンプ２０は、第１の保持装置６１をその中に保持されているポンプホース４６の第１の部分６２とともに第２の保持装置６６に対して変位させるように第１の保持装置６１を受容する位置調整装置７６を有している。
【符号の説明】
【００２４】
１０          車台
１２          軸線
１４          供給・排出穴
１６          混合胴
１８，１８’  後車軸
２０          ロータホースポンプ
２２，２２’  前車軸
２４          運転室
２６          支持ブロック
２７          鉛直軸線
２８，２８’，２８”      片持ちアーム
３０          分配ブーム
３１          搬送管
３２          接続部
３４          管片
３６          材料装入容器
３７          接続部
３８          管片
４０          連結部分
４２          ポンプハウジング
４６          ポンプホース
４８          ロータ
５０，５２    ゴムローラ
５４，５５    矢印
５８          ホースガイド
６０          クランプ機構
６１          保持装置
６２          部分
６４          ホースガイド
６６          保持装置
６８          クランプ機構
７０          部分
７２          ベース
７４          担持構造部
７５          二重矢印
７６          位置調整装置
９３          長穴
９４          ロック機構
９５          ボルト
９６          ラック
９９，１０３      方向
９８          歯
１００，１０２    歯の側面
１０１        皿ばね
１０４        爪止め
１０６        回動軸受
１０８        軸
１１０        爪
１１２        ロック部分
１１４        保持システム
１１５        ねじ
１２０        矢印
【図１】
2015514902.tif 000003
【図２】
2015514902.tif 000004
【図３】
2015514902.tif 000005
【図４】
2015514902.tif 000006
【図５】
2015514902.tif 000007
【図６】
2015514902.tif 000008
【図７】
2015514902.tif 000009
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
搬送方向（５４，５５）に沿ってロータ（４８）により媒体を第１の接続部（３２）から第２の接続部（３７）へ、またはその逆へポンプ搬送するために圧縮することができるポンプホース（４６）と、該ポンプホース（４６）を前記第１の接続部（３２）側の第１の部分（６２）で保持する第１の保持装置（６１）と、前記ポンプホースを前記第２の接続部（３７）側の第２の部分（７０）で受容する第２の保持装置（６６）と、前記第１の保持装置（６１）をその中に保持されている前記ポンプホース（４６）の前記第１の部分（６２）とともに前記第２の保持装置（６６）に対して変位させるように前記第１の保持装置（６１）を受容する位置調整装置（７６）とを備えたロータホースポンプ（２０）において、
前記位置調整装置（７６）がロック機構（９４）を含み、該ロック機構は、前記ロータ（４８）の逆作動によって生じる送り力で前記第１の保持装置（６１）が付勢されたときに、前記第１の接続部（３２）へ向けられる第１の方向（１０３）で前記第１の保持装置（６１）の運動を解放し、引き続き搬送方向における前記ロータ（４８）の作動によって生じる引張り力で前記第１の保持装置（６１）が付勢されたときに、前記第１の方向（１０３）とは逆の第２の方向（９９）での前記第１の保持装置（６１）の運動を阻止することを特徴とするロータホースポンプ。
【請求項２】
前記ロック機構（９４）が爪止め（１０４）を備えたラック（９６）を含み、前記爪止めが複数の歯（９８）を備え、これらの歯が、前記第１の方向（１０３）に向いている急傾斜の側面（１００）と、前記第２の方向（９９）に向いている緩やかな傾斜の側面（１０２）とを有するとともに、回動軸受（１０６）で受容される回動運動可能なロック爪（１１０）と協働し、該ロック爪は、前記第１の保持装置（６１）が前記位置調整装置（７６）内で前記ラック（９６）に対し相対的に変位するときに移動し、その際に前記爪止め（１０４）を、前記第１の保持装置（６１）が前記第１の方向（１０３）に移動するときに解放し、前記第１の保持装置（６１）が前記第２の方向（９９）に移動するときに前記爪止め（１０４）とロックすることを特徴とする、請求項１に記載のロータホースポンプ。
【請求項３】
前記ロック爪（１１０）を弾性力で付勢して該ロック爪（１１０）を前記ラック（９６）に対し押圧させる弾性手段（１０１）が設けられていることを特徴とする、請求項２に記載のロータホースポンプ。
【請求項４】
前記保持装置（６１）が、前記ポンプホース（４６）と結合される管（３４）を有していることを特徴とする、請求項２または３に記載のロータホースポンプ。
【請求項５】
直線変位することができ、前記管（３４）を介して前記保持装置（６１）に接続されている材料装入容器（３６）が前記位置調整装置（７６）に組み込まれていることを特徴とする、請求項４に記載のロータホースポンプ。
【請求項６】
請求項１から５までのいずれか一つに従って構成されたロータホースポンプ（２０）を備えた、濃厚物質用、特にコンクリート用走行型ミキサーポンプ。
【国際調査報告】
2015514902.tif 000010
2015514902.tif 000011
2015514902.tif 000012
2015514902.tif 000013